(57)【要約】      （修正有）【課題】肩にかけるストラップや背中に廻すバンドがなくても肌に密着することで落ちることがない粘着式ブラジャーにおいて、簡単に胸を寄せて谷間を強調することができる粘着式ブラジャーを提供する。【解決手段】左右のカップ１，２の内側端に左右のカップ１，２を着脱自在に連結する１段目ホック３を設け、更に左右のカップの外側面で前記１段目ホック３よりも外側となる位置に２段目ホック４を設けた。１段目ホック３については、２段目ホック４よりも小さく且つ透明材料で形成することで、２段目ホック４を使用した際に１段目ホック３の内側に隠れて目立たなくした。【選択図】図１
2011099184.tif 000002
【特許請求の範囲】
【請求項１】
左右のカップからなり、カップ内側を肌に貼りつく粘着材で構成した粘着式ブラジャーにおいて、前記左右のカップの内側端に左右のカップを着脱自在に連結する１段目ホックを設け、更に左右のカップの外側面で前記１段目ホックよりも外側となる位置に２段目ホックを設けたことを特徴とする粘着式ブラジャー。
【請求項２】
請求項１に記載の粘着式ブラジャーにおいて、前記１段目ホックは透明材料からなることを特徴とする粘着式ブラジャー。
【請求項３】
請求項１に記載の粘着式ブラジャーにおいて、前記１段目ホックは前記２段目ホックよりも小さいことを特徴とする粘着式ブラジャー。
【発明の詳細な説明】
【技術分野】
【０００１】
本発明は、肩にかけるストラップや背中に廻すバンドがなくても肌に密着することで落ちることがない粘着式ブラジャーに関する。
【背景技術】
【０００２】
粘着式ブラジャーはストラップやバンドが不要なため、ブラジャーを着用したまま肩や背中が露出する服を着ることができ、最近では一般化しつつある。しかしながら、粘着式ブラジャーは単に肌に密着しているだけであるので、バストの形を矯正することはできない。そのため、形を矯正してより美しく見せることを目的とした先行技術として、特許文献１〜３に開示されるものが提案されている。
【０００３】
特許文献１には、左右のカップを分離可能とするとともに、各カップの裏面の外側領域にバストを内側に寄せる隆起部を形成したものが提案されている。
また特許文献２には、カップ内に空気嚢を設け、この空気嚢に吸排気を行うことによりバスト高を自在に調整できる粘着式ブラジャーが提案されている。
更に特許文献３には、カップを構成する内側空気遮断膜の外表面側に伸縮自在な外側空気遮断膜を対向配置し、内側空気遮断膜と外側空気遮断膜との間に空気収納部を設け、この空気収納部に空気を給排することで、バストの矯正を行える粘着式ブラジャーが提案されている。
【先行技術文献】
【特許文献】
【０００４】
【特許文献１】実用新案登録第３１１４２４０号公報
【特許文献２】特開２００８−００７８９３号公報
【特許文献３】特開２００８−２８５７７０号公報
【発明の概要】
【発明が解決しようとする課題】
【０００５】
特許文献１では、カップ裏面の外側領域に設けた隆起部によって、バストが内側に寄ると説明されているが、多少の効果は認められても、隆起部によってバストは上にも下にも押出されるため、胸の谷間を強調するまでには至らない。
【０００６】
また、特許文献２、３のようにカップの一部に空気収納部を設け、この空気収納部に空気を送り込んでバストの形状を矯正する方法は、空気の給排が面倒で、構造も複雑になってしまう。
【課題を解決するための手段】
【０００７】
上記課題を解決するため、本発明に係る粘着式ブラジャーは、左右のカップの内側端に左右のカップを着脱自在に連結する１段目ホックを設け、更に左右のカップの外側面で前記１段目ホックよりも外側となる位置に２段目ホックを設けた。
【０００８】
前記１段目ホックについては、２段目ホックよりも小さく且つ透明材料で形成することで、２段目ホックを使用した際に２段目ホックの内側に隠れて目立たなくなるので好ましい。
【発明の効果】
【０００９】
本発明に係る粘着式ブラジャーによれば、一旦、１段目ホックを用いて粘着式ブラジャーを胸に装着した後に、カップが胸に粘着した状態のまま２段目ホックを用いて左右のカップを寄せることができるので、自然なまま胸の谷間を強調することができる。
【図面の簡単な説明】
【００１０】
【図１】本発明に係る粘着式ブラジャーの正面図
【図２】同粘着式ブラジャーの分離状態を示す要部の拡大図
【図３】図２の状態を上から見た図
【図４】（ａ）は左右のカップを連結する雌ホックの平面図（ｂ）は（ａ）のＢ方向から見た図（ｃ）は（ａ）のＣ方向から見た図
【図５】（ａ）〜（ｃ）は雄ホックと雌ホックとを連結する手順を説明した図
【図６】１段目ホックで左右のカップを連結した状態を上から見た図
【図７】１段目ホックを使用した装着状態を示す図
【図８】２段目ホックで左右のカップを連結した状態を上から見た図
【図９】２段目ホックを使用した装着状態を示す図
【発明を実施するための形態】
【００１１】
本発明に係る粘着式ブラジャーは、左右のカップ１、２と、これら左右のカップ１、２を分離可能に連結する１段目ホック３及び２段目ホック４からなる。
【００１２】
左右のカップ１、２は発泡ポリエステルや発泡ポリエチレン製の芯材の外側面に織布が貼着され、内側面にはシリコン樹脂系の粘着層が形成されている。
【００１３】
前記１段目ホック３は雄ホック３１と雌ホック３２からなり、雄ホック３１は左右のカップ１、２の一方のカップの内側端に取り付けられ、雌ホック３２は他方のカップの内側端に取り付けられている。また、雄ホック３１と雌ホック３２はいずれも透明樹脂を材料としている。
【００１４】
一方、２段目ホック４は雄ホック４１と雌ホック４２からなり、雄ホック４１は左右のカップ１、２の一方のカップの表面側で且つ１段目ホック３の雄ホック３１よりも外側位置に取り付けられ、雌ホック４２は他方のカップの表面側で且つ１段目ホック３の雌ホック３２よりも外側位置に取り付けられている。
【００１５】
２段目ホック４を構成する雄ホック４１と雌ホック４２を連結した状態で、１段目ホック３は２段目ホック４の内側に重なる。ここで、前記したように１段目ホック３を構成する雄ホック３１と雌ホック３２は透明樹脂からなるので、雄ホック４１と雌ホック４２を連結した状態では１段目ホック３は外側から見えなくなる。
【００１６】
次に、１段目ホック３と２段目ホック４の構造について説明する。尚、１段目ホック３と２段目ホック４は同一構造であるので、１段目ホック３のみを説明する。
【００１７】
雄ホック３１は取付け用の紐を通すリング状部３１ａ、このリング状部３１ａに連続するネック部３１ｂ及びネック部３１ｂの先端に設けられるピン部３１ｃからなり、雌ホック３２は取付け用の紐を通すリング状部３２ａと、このリング状部３２ａに連続するプレート部３２ｂからなり、前記プレート部３２ｂの裏面側には前記ピン部３１ｃが挿入される凹部３２ｃが形成され、この凹部３２ｂと連続するとともに前記ネック部３１ｂよりも若干広い幅で外側に向かって開口する溝部３２ｄが形成されている。
【００１８】
同様に、２段目ホック４を構成する雄ホック４１も、リング状部４１ａ、ネック部４１ｂ及びピン部４１ｃからなり、雌ホック４２はリング状部４２ａ、プレート部４２ｂからなり、前記プレート部４２ｂの裏面側には前記ピン部４１ｃが挿入される凹部４２ｃが形成され、この凹部４２ｂと連続するとともに前記ネック部４１ｂよりも若干広い幅で外側に向かって開口する溝部４２ｄが形成されている。
【００１９】
以上において、雄ホック３１と雌ホック３２を結合するには、図５（ａ）に示すように、雄ホック３１のピン部３１ｃを雌ホック３２の凹部３２ｃに嵌め込む。次いで、雄ホック３１と雌ホック３２が平行になる方向に回転させる。ここで、雌ホック３１の凹部３２ｃよりも外側部分の長さと雄ホック３１のネック部３１ｂの幅が略等しくなっているので、雄ホック３１を回転させると、図５（ｂ）に示すように、雄ホック３１のリング状部３１ａの外側端に雌ホック４のプレート部３２ｂのコーナ部が当接し、回転抵抗が発生し、これを乗り越えて図５（ｃ）に示すように、クリック感を伴って雄ホック３１と雌ホック３２が結合する。
【００２０】
また、実際の装着方法の一例を説明すると、先ず、図６に示すように１段目ホック３を用いて左右のカップ１、２を連結して装着する。この場合は図７に示すように胸の谷間は目立たない。
【００２１】
この後、図８に示すように２段目ホック４を用いて左右のカップ１、２を連結する。この場合、既に１段目ホック３を連結して左右のカップは使用者の肌に密着しているため、２段目ホック４を連結すると、カップ１、２内に保持されている肉はそのまま中央に寄せられ、図９に示すように胸の谷間が強調される。
【符号の説明】
【００２２】
１、２…左右のカップ、３…１段目ホック、４…２段目ホック、３１、４１…雄ホック、３２、４２…雌ホック、３１ａ、４１ａ…リング状部、３１ｂ、４１ｂ…ネック部、３１ｃ、４１ｃ…ピン部、３２ａ、４２ａ…リング状部、３２ｂ、４２ｂ…プレート部、３２ｃ、４２ｃ…凹部、３２ｄ、４２ｄ…溝部。
【図１】
2011099184.tif 000003
【図２】
2011099184.tif 000004
【図３】
2011099184.tif 000005
【図４】
2011099184.tif 000006
【図５】
2011099184.tif 000007
【図６】
2011099184.tif 000008
【図７】
2011099184.tif 000009
【図８】
2011099184.tif 000010
【図９】
2011099184.tif 000011